【手続補正書】
【提出日】平成28年6月15日(2016.6.15)
【手続補正１】
【補正対象書類名】明細書
【補正対象項目名】０００８
【補正方法】変更
【補正の内容】
【０００８】
上記の目的を達成するため、本発明による撮像装置は、撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体を撮影するバウンス撮影を行う撮像装置であって、前記バウンス撮影を行うに当たって前記閃光装置を予備発光させて当該予備発光による反射光を、前記撮影レンズを介して受けて、前記予備発光による反射光を測光してその測光結果に応じて前記バウンス撮影の際の前記閃光装置による本発光における発光量および露出を調整する第１の調整手段と、前記予備発光による反射光が前記ファインダー部から混入して前記第１の調整手段に入力される混入条件であるか否かを判定する判定手段と、前記判定手段によって前記混入条件であると判定されると、前記第１の調整手段の代わりに、前記撮像手段の出力である前記画像信号に応じて測光を行って前記バウンス撮影の際の前記閃光装置による本発光における発光量および露出を調整する第２の調整手段と、を有することを特徴とする。
【手続補正２】
【補正対象書類名】明細書
【補正対象項目名】０００９
【補正方法】変更
【補正の内容】
【０００９】
本発明による制御方法は、撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体を撮影するバウンス撮影を行う撮像装置の制御方法であって、前記バウンス撮影を行うに当たって前記閃光装置を予備発光させて当該予備発光による反射光を、前記撮影レンズを介して受けて、前記予備発光による反射光を測光センサーで測光してその測光結果に応じて前記バウンス撮影の際の前記閃光装置による本発光における発光量および露出を調整する第１の調整ステップと、前記予備発光による反射光が前記ファインダー部から混入して前記測光センサーに入力される混入条件であるか否かを判定する判定ステップと、前記判定ステップで前記混入条件であると判定されると、前記測光センサーの代わりに、前記撮像手段の出力である前記画像信号に応じて測光を行って前記バウンス撮影の際の前記閃光装置による本発光における発光量および露出を調整する第２の調整ステップと、を有することを特徴とする。
【手続補正３】
【補正対象書類名】明細書
【補正対象項目名】００１０
【補正方法】変更
【補正の内容】
【００１０】
本発明による制御プログラムは、撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体を撮影するバウンス撮影を行う撮像装置で用いられる制御プログラムであって、前記撮像装置が備えるコンピュータに、前記バウンス撮影を行うに当たって前記閃光装置を予備発光させて当該予備発光による反射光を、前記撮影レンズを介して受けて、前記予備発光による反射光を測光センサーで測光してその測光結果に応じて前記バウンス撮影の際の前記閃光装置による本発光における発光量および露出を調整する第１の調整ステップと、前記予備発光による反射光が前記ファインダー部から混入して前記測光センサーに入力される混入条件であるか否かを判定する判定ステップと、前記判定ステップで前記混入条件であると判定されると、前記測光センサーの代わりに、前記撮像手段の出力である前記画像信号に応じて測光を行って前記バウンス撮影の際の前記閃光装置による本発光における発光量および露出を調整する第２の調整ステップと、を実行させることを特徴とする。
【手続補正４】
【補正対象書類名】特許請求の範囲
【補正対象項目名】全文
【補正方法】変更
【補正の内容】
【特許請求の範囲】
【請求項１】
撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体を撮影するバウンス撮影を行う撮像装置であって、
前記バウンス撮影を行うに当たって前記閃光装置を予備発光させて当該予備発光による反射光を、前記撮影レンズを介して受けて、前記予備発光による反射光を測光してその測光結果に応じて前記バウンス撮影の際の前記閃光装置による本発光における発光量および露出を調整する第１の調整手段と、
前記予備発光による反射光が前記ファインダー部から混入して前記第１の調整手段に入力される混入条件であるか否かを判定する判定手段と、
前記判定手段によって前記混入条件であると判定されると、前記第１の調整手段の代わりに、前記撮像手段の出力である前記画像信号に応じて測光を行って前記バウンス撮影の際の前記閃光装置による本発光における発光量および露出を調整する第２の調整手段と、
を有することを特徴とする撮像装置。
【請求項２】
前記判定手段は、前記予備発光による反射光が前記ファインダー部から入射して前記第１の調整手段に送られる逆入光条件であるか否かを判定するとともに、前記ファインダー部が遮光されているか否かを判定して、前記逆入光条件であってかつ前記ファインダー部が遮光されていない状態であると、前記混入条件であると判定することを特徴とする請求項１に記載の撮像装置。
【請求項３】
前記閃光装置は、発光を行うための発光部を備え、前記発光部はその照射方向が可変であり、
前記判定手段は前記照射方向と水平方向との角度であるバウンス角度が予め定められた閾値角度未満であると、前記逆入光条件であると判定することを特徴とする請求項２に記載の撮像装置。
【請求項４】
前記撮影レンズの光軸上に配置され、前記撮影レンズを介して入射した光学像を前記ファインダー部および前記撮像手段に導くミラー部を備え、
前記判定手段によって前記混入条件であると判定されると、前記第２の調整手段は前記ミラー部を前記撮影レンズの光軸から離脱させて、前記ミラー部によって前記ファインダー部から混入する反射光を遮光することを特徴とする請求項１〜３のいずれか１項に記載の撮像装置。
【請求項５】
前記ミラー部は前記撮影レンズを介して入射した光学像を前記ファインダー部および前記撮像手段に導く主ミラーを備えるとともに、前記光学像を、焦点検出を行うための焦点検出部に導く反射ミラーを備えることを特徴とする請求項１に記載の撮像装置。
【請求項６】
撮影レンズを介して入射する光学像に応じた画像信号を生成する撮像手段と、前記撮影レンズを介して入射する光学像を観察するファインダー部と、を備え、閃光装置を被写体以外の反射面に向けて発光させて被写体を撮影するバウンス撮影を行う撮像装置であって、
前記ファインダー部の近傍に配置された測光センサーを用いて測光を行って前記バウンス撮影の際の前記閃光装置による本発光における発光量および露出の少なくとも一方を調整する第１の調整方法と、前記撮像手段の出力である前記画像信号に応じて測光を行って前記バウンス撮影の際の前記閃光装置による本発光における発光量および露出の少なくとも一方を調整する第２の調整方法とを、撮影条件に応じて選択的に実行する調整手段を有することを特徴とする撮像装置。
【請求項７】
前記調整手段は、前記ファインダー部が遮光されている場合、前記第１の調整方法を選択し、前記ファインダー部が遮光されていない場合、前記第２の調整方法を選択することを特徴とする請求項６に記載の撮像装置。
【請求項８】
前記調整手段は、前記閃光装置の照射方向に応じて前記第１の調整方法と前記第２の調整方法とを選択的に実行することを特徴とする請求項６に記載の撮像装置。
【請求項９】
撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体を撮影するバウンス撮影を行う撮像装置の制御方法であって、
前記バウンス撮影を行うに当たって前記閃光装置を予備発光させて当該予備発光による反射光を、前記撮影レンズを介して受けて、前記予備発光による反射光を測光センサーで測光してその測光結果に応じて前記バウンス撮影の際の前記閃光装置による本発光における発光量および露出を調整する第１の調整ステップと、
前記予備発光による反射光が前記ファインダー部から混入して前記測光センサーに入力される混入条件であるか否かを判定する判定ステップと、
前記判定ステップで前記混入条件であると判定されると、前記測光センサーの代わりに、前記撮像手段の出力である前記画像信号に応じて測光を行って前記バウンス撮影の際の前記閃光装置による本発光における発光量および露出を調整する第２の調整ステップと、
を有することを特徴とする制御方法。
【請求項１０】
撮影レンズを介して入射する光学像に応じた画像信号を生成する撮像手段と、前記撮影レンズを介して入射する光学像を観察するファインダー部と、を備え、閃光装置を被写体以外の反射面に向けて発光させて被写体を撮影するバウンス撮影を行う撮像装置の制御方法であって、
前記ファインダー部の近傍に配置された測光センサーを用いて測光を行って前記バウンス撮影の際の前記閃光装置による本発光における発光量および露出の少なくとも一方を調整する第１の調整方法と、前記撮像手段の出力である前記画像信号に応じて測光を行って前記バウンス撮影の際の前記閃光装置による本発光における発光量および露出の少なくとも一方を調整する第２の調整方法とを、撮影条件に応じて選択的に実行することを特徴とする制御方法。
【請求項１１】
撮影レンズを介して入射する光学像に応じた画像信号を生成する撮像手段と、前記撮影レンズを介して入射する光学像を観察するファインダー部と、撮影の際に発光を行う閃光装置とを備え、前記閃光装置を被写体以外の反射面に向けて発光させて被写体を撮影するバウンス撮影を行う撮像装置で用いられる制御プログラムであって、
前記撮像装置が備えるコンピュータに、
前記バウンス撮影を行うに当たって前記閃光装置を予備発光させて当該予備発光による反射光を、前記撮影レンズを介して受けて、前記予備発光による反射光を測光センサーで測光してその測光結果に応じて前記バウンス撮影の際の前記閃光装置による本発光における発光量および露出を調整する第１の調整ステップと、
前記予備発光による反射光が前記ファインダー部から混入して前記測光センサーに入力される混入条件であるか否かを判定する判定ステップと、
前記判定ステップで前記混入条件であると判定されると、前記測光センサーの代わりに、前記撮像手段の出力である前記画像信号に応じて測光を行って前記バウンス撮影の際の前記閃光装置による本発光における発光量および露出を調整する第２の調整ステップと、
を実行させることを特徴とする制御プログラム。
【請求項１２】
撮影レンズを介して入射する光学像に応じた画像信号を生成する撮像手段と、前記撮影レンズを介して入射する光学像を観察するファインダー部と、を備え、閃光装置を被写体以外の反射面に向けて発光させて被写体を撮影するバウンス撮影を行う撮像装置で用いられる制御プログラムであって、
前記撮像装置が備えるコンピュータに、
前記ファインダー部の近傍に配置された測光センサーを用いて測光を行って前記バウンス撮影の際の前記閃光装置による本発光における発光量および露出の少なくとも一方を調整する第１の調整方法と、前記撮像手段の出力である前記画像信号に応じて測光を行って前記バウンス撮影の際の前記閃光装置による本発光における発光量および露出の少なくとも一方を調整する第２の調整方法とを、撮影条件に応じて選択的に実行させることを特徴とする制御プログラム。